(57)【要約】【課題】光ＩＰ網システムにおいてオペレータの作業負担を軽減する。【解決手段】ノード装置２ｂがデータリンクの設定内容の確認をノード装置２ｃに依頼し、ノード装置２ｃが保持する設定内容と依頼された設定内容とが一致しない場合に、ノード装置２ｂが保持する設定内容を変更し、ノード装置２ｂが疎通確認依頼メッセージＭ3をノード装置２ｃに送信し（Ｓ１１）、ノード装置２ｃがデータリンクの導通試験を実施することで設置設定内容を取得し（Ｓ１３）、登録された設定内容と設置設定内容とが一致するか否かを判別し（Ｓ１４）、一致しないデータリンクがある場合に、ノード装置２ｂが保持する設定内容を変更し（Ｓ２１）、データリンクを新設する場合に、ノード装置２ｂが新設データリンク設定内容をノード装置２ｃに送信し（Ｓ２３）、ノード装置２ｃが新たなデータリンクの設定内容を自動設定する（Ｓ２５）。【選択図】図４
2008060869.tif 000002
【特許請求の範囲】
【請求項１】
光ＩＰ網において、双方向制御チャネルおよび１以上のデータリンクを介して隣接して設置されるノード装置の保持する前記データリンクの設定内容を管理するノード装置であって、
予め設定された前記各データリンクの設定内容を記憶する第１設定内容記憶手段と、
前記各データリンクの使用不可状態において前記双方向制御チャネルを介して、前記隣接したノード装置が保持する前記各データリンクの設定内容を含む内容確認依頼メッセージを受信する内容確認依頼メッセージ受信手段と、
前記第１設定内容記憶手段に記憶された設定内容と、前記受信した内容確認依頼メッセージに含まれる設定内容とが一致するか否かを判別し、設定内容が一致しない設定項目を検出する設定ミス検出手段と、
設定内容が一致しない設定項目が検出された場合に、当該設定項目について、前記第１設定内容記憶手段に記憶された設定内容を含む正規内容メッセージを、前記双方向制御チャネルを介して前記隣接したノード装置に送信する正規内容メッセージ送信手段とを備えることを特徴とするノード装置。
【請求項２】
前記各データリンクの使用不可状態において前記双方向制御チャネルを介して、前記１以上のデータリンクの疎通確認を依頼する疎通確認依頼メッセージを受信する疎通確認依頼メッセージ受信手段と、
前記受信した疎通確認依頼メッセージで示されるデータリンクを使用可状態として導通試験を実施することで当該データリンクの設置状態を示す設置設定内容を取得する設置設定内容取得手段と、
前記第１設定内容記憶手段に記憶された設定内容と、前記取得された設置設定内容とが一致するか否かを判別し、前記データリンクの設定内容と前記設置設定内容とが一致しないデータリンクを検出する設置ミス検出手段と、
前記データリンクの設定内容と前記設置設定内容とが一致しないデータリンクを検出した場合に、当該データリンクの設置設定内容を含む設置設定内容メッセージを前記隣接したノード装置に送信する設置設定内容メッセージ送信手段とをさらに備えることを特徴とする請求項１に記載のノード装置。
【請求項３】
予め設定された前記各データリンクの設定内容を記憶する第２設定内容記憶手段を備え、前記記憶された設定内容を管理すると共に、前記記憶された設定内容を、請求項１に記載のノード装置によって管理されるノード装置であって、
隣接したノード装置に前記内容確認依頼メッセージを送信する内容確認依頼メッセージ送信手段と、
前記正規内容メッセージを受信する正規内容メッセージ受信手段と、
前記受信した正規内容メッセージに基づいて、前記第２設定内容記憶手段に記憶された設定内容を変更する設定変更手段とを備えることを特徴とするノード装置。
【請求項４】
予め設定された前記各データリンクの設定内容を記憶する第２設定内容記憶手段を備え、前記記憶された設定内容を管理すると共に、請求項２に記載のノード装置から、前記設定内容の管理の支援を受けるノード装置であって、
隣接したノード装置に前記内容確認依頼メッセージを送信する内容確認依頼メッセージ送信手段と、
前記正規内容メッセージを受信する正規内容メッセージ受信手段と、
前記隣接したノード装置に前記疎通確認依頼メッセージを送信する疎通確認依頼メッセージ送信手段と、
前記設置設定内容メッセージを受信する設置設定内容メッセージ受信手段と、
前記受信した正規内容メッセージに基づいて、前記第２設定内容記憶手段に記憶された設定内容を変更すると共に、前記設置設定内容メッセージに基づいて、前記第２設定内容記憶手段に記憶された設定内容を変更する設定変更手段とを備えることを特徴とするノード装置。
【請求項５】
請求項１ないし請求項４のいずれか一項に記載のノード装置であって、
隣接したノード装置との間で新たに使用するために設定されたデータリンクの設定内容を示す新設データリンク設定内容を、前記隣接したノード装置に送信する新設情報送信手段と、
隣接したノード装置から、前記新設データリンク設定内容を受信する新設情報受信手段と、
前記受信した新設データリンク設定内容に基づいて、新たなデータリンクの設定内容を自動設定する受信情報自動設定手段とを備えることを特徴とするノード装置。
【請求項６】
光ＩＰ網において、双方向制御チャネルおよび１以上のデータリンクを介して隣接して設置されるノード装置の保持する前記データリンクの設定内容を管理すると共に、予め設定された前記各データリンクの設定内容を記憶する第１設定内容記憶手段を備えたノード装置の設定内容管理方法であって、
内容確認依頼メッセージ受信手段によって、前記各データリンクの使用不可状態において前記双方向制御チャネルを介して、前記隣接したノード装置が保持する前記各データリンクの設定内容を含む内容確認依頼メッセージを受信するステップと、
設定ミス検出手段によって、前記第１設定内容記憶手段に記憶された設定内容と、前記受信した内容確認依頼メッセージに含まれる設定内容とが一致するか否かを判別し、設定内容が一致しない設定項目を検出するステップと、
正規内容メッセージ送信手段によって、設定内容が一致しない設定項目が検出された場合に、当該設定項目について、前記第１設定内容記憶手段に記憶された設定内容を含む正規内容メッセージを、前記双方向制御チャネルを介して前記隣接したノード装置に送信するステップとを有することを特徴とする設定内容管理方法。
【請求項７】
疎通確認依頼メッセージ受信手段によって、前記各データリンクの使用不可状態において前記双方向制御チャネルを介して、前記１以上のデータリンクの疎通確認を依頼する疎通確認依頼メッセージを受信するステップと、
設置設定内容取得手段によって、前記受信した疎通確認依頼メッセージで示されるデータリンクを使用可状態として導通試験を実施することで当該データリンクの設置状態を示す設置設定内容を取得するステップと、
設置ミス検出手段によって、前記第１設定内容記憶手段に記憶された設定内容と、前記取得された設置設定内容とが一致するか否かを判別し、前記データリンクの設定内容と前記設置設定内容とが一致しないデータリンクを検出するステップと、
設置設定内容メッセージ送信手段によって、前記データリンクの設定内容と前記設置設定内容とが一致しないデータリンクを検出した場合に、当該データリンクの設置設定内容を含む設置設定内容メッセージを前記隣接したノード装置に送信するステップとをさらに有することを特徴とする請求項６に記載の設定内容管理方法。
【請求項８】
予め設定された前記各データリンクの設定内容を記憶する第２設定内容記憶手段を備え、前記記憶された設定内容を管理すると共に、前記記憶された設定内容を、請求項６に記載の設定内容管理方法によって管理されるノード装置の設定内容管理方法であって、
内容確認依頼メッセージ送信手段によって、隣接したノード装置に前記内容確認依頼メッセージを送信するステップと、
正規内容メッセージ受信手段によって、前記正規内容メッセージを受信するステップと、
設定変更手段によって、前記受信した正規内容メッセージに基づいて、前記第２設定内容記憶手段に記憶された設定内容を変更するステップとを有することを特徴とする設定内容管理方法。
【請求項９】
予め設定された前記各データリンクの設定内容を記憶する第２設定内容記憶手段を備え、前記記憶された設定内容を管理すると共に、前記記憶された設定内容を、請求項７に記載の設定内容管理方法によって管理されるノード装置の設定内容管理方法であって、
内容確認依頼メッセージ送信手段によって、隣接したノード装置に前記内容確認依頼メッセージを送信するステップと、
正規内容メッセージ受信手段によって、前記正規内容メッセージを受信するステップと、
設定変更手段によって、前記正規内容メッセージに基づいて、前記第２設定内容記憶手段に記憶された設定内容を変更するステップと、
疎通確認依頼メッセージ送信手段によって、前記隣接したノード装置に前記疎通確認依頼メッセージを送信するステップと、
設置設定内容メッセージ受信手段によって、前記設置設定内容メッセージを受信するステップと、
設定変更手段によって、前記設置設定内容メッセージに基づいて、前記第２設定内容記憶手段に記憶された設定内容を変更するステップとを有することを特徴とする設定内容管理方法。
【請求項１０】
請求項６ないし請求項９のいずれか一項に記載の設定内容管理方法であって、
新設情報送信手段によって、隣接したノード装置との間で新たに使用するために設定されたデータリンクの設定内容を示す新設データリンク設定内容を、前記隣接したノード装置に送信するステップと、
新設情報受信手段によって、隣接したノード装置から、前記新設データリンク設定内容を受信するステップと、
受信情報自動設定手段によって、前記受信した新設データリンク設定内容に基づいて、新たなデータリンクの設定内容を自動設定するステップとをさらに有することを特徴とする設定内容管理方法。
【請求項１１】
請求項６ないし請求項１０のいずれか一項に記載の設定内容管理方法をコンピュータに実行させることを特徴とする設定内容管理プログラム。
【請求項１２】
双方向制御チャネルおよび１以上のデータリンクを介して隣接して設置される２つのノード装置を備え、前記２つのノード装置が、請求項１に記載のノード装置と請求項３に記載のノード装置との組合せ、または、請求項２に記載のノード装置と請求項４に記載のノード装置との組合せから成ることを特徴とする光ＩＰ網システム。
【請求項１３】
双方向制御チャネルおよび１以上のデータリンクを介して隣接して設置される第１ノード装置と、第２ノード装置とを備える光ＩＰ網システムにおいて、前記第１ノード装置と、前記第２ノード装置とにそれぞれ保持される前記データリンクの設定内容を管理する設定内容管理方法であって、
前記第１ノード装置が、内容確認依頼メッセージ送信手段によって、前記各データリンクの使用不可状態において前記双方向制御チャネルを介して、前記第１ノード装置が保持する前記各データリンクの設定内容を含む内容確認依頼メッセージを前記第２ノード装置に送信するステップと、
前記第２ノード装置が、内容確認依頼メッセージ受信手段によって、前記内容確認依頼メッセージを受信するステップと、
設定ミス検出手段によって、前記第２ノード装置が保持する設定内容と、前記受信した内容確認依頼メッセージに含まれる設定内容とが一致するか否かを判別し、設定内容が一致しない設定項目を検出するステップと、
正規内容メッセージ送信手段によって、設定内容が一致しない設定項目が検出された場合に、当該設定項目について、前記第２ノード装置が保持する設定内容を含む正規内容メッセージを前記第１ノード装置に送信するステップと、
前記第１ノード装置が、正規内容メッセージ受信手段によって、前記正規内容メッセージを受信するステップと、
設定変更手段によって、前記受信した正規内容メッセージに基づいて、前記第１ノード装置が保持する設定内容を変更するステップとを有することを特徴とする設定内容管理方法。
【請求項１４】
前記第１ノード装置が、疎通確認依頼メッセージ送信手段によって、前記各データリンクの使用不可状態において前記双方向制御チャネルを介して、前記１以上のデータリンクの疎通確認を依頼する疎通確認依頼メッセージを前記第２ノード装置に送信するステップと、
前記第２ノード装置が、疎通確認依頼メッセージ受信手段によって、前記疎通確認依頼メッセージを受信するステップと、
設置設定内容取得手段によって、前記受信した疎通確認依頼メッセージで示されるデータリンクを使用可状態として導通試験を実施することで当該データリンクの設置状態を示す設置設定内容を取得するステップと、
設置ミス検出手段によって、前記第２ノード装置が保持する設定内容と、前記取得された設置設定内容とが一致するか否かを判別し、前記第２ノード装置が保持する設定内容と前記設置設定内容とが一致しないデータリンクを検出するステップと、
設置設定内容メッセージ送信手段によって、前記第２ノード装置が保持する設定内容と前記設置設定内容とが一致しないデータリンクを検出した場合に、当該データリンクの設置設定内容を含む設置設定内容メッセージを前記第１ノード装置に送信するステップと、
前記第１ノード装置が、設置設定内容メッセージ受信手段によって、前記設置設定内容メッセージを受信するステップと、
設定変更手段によって、前記設置設定内容メッセージに基づいて、前記第１ノード装置が保持する設定内容を変更するステップとをさらに有することを特徴とする請求項１３に記載の設定内容管理方法。
【請求項１５】
前記第１ノード装置が保持する設定内容を変更するステップの前に、
変更指示通知手段によって、前記第１ノード装置が保持する設定内容の変更を指示する変更指示メッセージを前記設定変更手段に通知するステップをさらに有することを特徴とする請求項１３または請求項１４に記載の設定内容管理方法。
【請求項１６】
前記第１ノード装置が、前記変更指示メッセージを前記設定変更手段に通知するステップは、
前記変更指示通知手段によって、前記第２ノード装置から受信したメッセージを、前記データリンクの設定内容を予め記憶した監視用装置に転送するステップと、
前記監視用装置から前記変更指示メッセージを受信するステップとを含むことを特徴とする請求項１５に記載の設定内容管理方法。
【請求項１７】
前記第１ノード装置または前記第２ノード装置のうちの一方が、
新設情報送信手段によって、両ノード装置間で新たに使用するために前記一方のノード装置で設定されたデータリンクの設定内容を示す新設データリンク設定内容を他方のノード装置に送信するステップと、
前記他方のノード装置が、新設情報受信手段によって、前記新設データリンク設定内容を受信するステップと、
受信情報自動設定手段によって、前記受信した新設データリンク設定内容に基づいて、前記他方のノード装置に前記新たなデータリンクの設定内容を自動設定するステップとをさらに有することを特徴とする請求項１３ないし請求項１６のいずれか一項に記載の設定内容管理方法。
【請求項１８】
前記他方のノード装置が、前記新たなデータリンクの設定内容を自動設定するステップは、前記他方のノード装置に予め登録しておいた値より払い出しを行うことにより、前記両ノード装置間で新たに使用するデータリンクを自動設定することを特徴とする請求項１７に記載の設定内容管理方法。
【請求項１９】
前記一方のノード装置が、前記新設データリンク設定内容を他方のノード装置に送信するステップの前に、
送信情報自動設定手段によって、前記一方のノード装置に予め登録しておいた値より払い出しを行うことにより、前記両ノード装置間で新たに使用するデータリンクを前記一方のノード装置に自動設定するステップをさらに有することを特徴とする請求項１７または請求項１８に記載の設定内容管理方法。
【発明の詳細な説明】
【技術分野】
【０００１】
本発明は、光ＩＰ（Internet Protocol）網システムにおいてネットワーク敷設／増設時のデータリンクの設定内容を管理するノード装置およびその設定内容管理方法、そのプログラム、ならびに、光ＩＰ網システムおよびその設定内容管理方法に関する。
【背景技術】
【０００２】
従来、ノード装置を含む光ＩＰ網システムにおいて、ノード装置またはノード装置を管理するための管理装置のオペレータ（以下、単にオペレータという）は、各ノード装置を接続するデータリンクの設定内容をそれぞれのノード装置に登録する。そして、光ＩＰ網システムのネットワーク敷設／増設時に、予め登録されたデータリンクの設定内容を管理するために、ノード装置に設定されたデータリンクの設定内容の確認、ノード装置間の疎通を確認するためのデータリンクの導通試験の実施、データリンクの追加による設定内容の投入（増設時）が行われている。このうち、設定内容の確認の実施方法と、データリンクの追加時の設定内容の投入方法としては、ＳＮＭＰ（Simple Network Management Protocol）やＴＬ−１（Transaction Language 1）あるいはベンダ独自のコマンドライン（ＣＬＩ：Command Line Interface）による方法が知られている。また、設定内容の確認の実施方法と、導通試験の実施方法としては、ＬＭＰ（Link Management Protocol）が知られている（例えば、非特許文献１参照）。
【非特許文献１】J. Lang、“Link Management Protocol (LMP)”、[online]、2005年10月、RFC4204（Network Working Group Request for Comments:4204）、[平成18年8月8日検索]、インターネット<ＵＲＬ：http://www.ietf.org/rfc/rfc4204.txt>
【発明の開示】
【発明が解決しようとする課題】
【０００３】
しかしながら、前者（ＳＮＭＰ、ＴＬ−１およびＣＬＩ）では、ネットワーク敷設／増設時に、敷設／増設したすべてのノード装置おのおのに対し、設定内容の確認が必要である。また、各ノード装置の設置場所でそれぞれ疎通確認の必要がある。したがって、敷設／増設したノード装置の数が膨大な場合には、オペレータは多大な負担を強いられる。
【０００４】
これに対し、後者（ＬＭＰ）では、設定内容の確認を全装置で一元的に実施可能なので、この点はオペレータの負担を軽減することができる。しかしながら、設定内容の確認をした結果、ノード装置に設定間違い（設定ミス）が生じていた場合には、オペレータが当該ノード装置の設定内容を修正する作業を行わなければならない。また、ネットワーク増設時には、増設したノード装置および当該ノード装置に接続されるノード装置に対して、２つのノード装置間に新設されるデータリンクをオペレータが設定（登録）する作業を行わなければならない。
【０００５】
本発明は、前記した問題に鑑み創案されたものであり、オペレータの作業負担を軽減できるノード装置およびその設定内容管理方法、そのプログラム、ならびに、光ＩＰ網システムおよびその設定内容管理方法を提供することを目的とする。
【課題を解決するための手段】
【０００６】
前記課題を解決するため、請求項１に記載のノード装置は、光ＩＰ網において、双方向制御チャネルおよび１以上のデータリンクを介して隣接して設置されるノード装置の保持する前記データリンクの設定内容を管理するノード装置であって、予め設定された前記各データリンクの設定内容を記憶する第１設定内容記憶手段と、前記各データリンクの使用不可状態において前記双方向制御チャネルを介して、前記隣接したノード装置が保持する前記各データリンクの設定内容を含む内容確認依頼メッセージを受信する内容確認依頼メッセージ受信手段と、前記第１設定内容記憶手段に記憶された設定内容と、前記受信した内容確認依頼メッセージに含まれる設定内容とが一致するか否かを判別し、設定内容が一致しない設定項目を検出する設定ミス検出手段と、設定内容が一致しない設定項目が検出された場合に、当該設定項目について、前記第１設定内容記憶手段に記憶された設定内容を含む正規内容メッセージを、前記双方向制御チャネルを介して前記隣接したノード装置に送信する正規内容メッセージ送信手段とを備えることを特徴とする。
【０００７】
また、請求項６に記載の設定内容管理方法は、光ＩＰ網において、双方向制御チャネルおよび１以上のデータリンクを介して隣接して設置されるノード装置の保持する前記データリンクの設定内容を管理すると共に、予め設定された前記各データリンクの設定内容を記憶する第１設定内容記憶手段を備えたノード装置の設定内容管理方法であって、内容確認依頼メッセージ受信手段によって、前記各データリンクの使用不可状態において前記双方向制御チャネルを介して、前記隣接したノード装置が保持する前記各データリンクの設定内容を含む内容確認依頼メッセージを受信するステップと、設定ミス検出手段によって、前記第１設定内容記憶手段に記憶された設定内容と、前記受信した内容確認依頼メッセージに含まれる設定内容とが一致するか否かを判別し、設定内容が一致しない設定項目を検出するステップと、正規内容メッセージ送信手段によって、設定内容が一致しない設定項目が検出された場合に、当該設定項目について、前記第１設定内容記憶手段に記憶された設定内容を含む正規内容メッセージを、前記双方向制御チャネルを介して前記隣接したノード装置に送信するステップとを有することを特徴とする。
【０００８】
請求項１に記載のノード装置または請求項６に記載の設定内容管理方法によれば、ノード装置は、データリンクを介して隣接したノード装置が保持する当該データリンクの設定内容を、自ノードで保持する設定内容と比較することで、隣接したノード装置が保持する設定内容の設定間違い箇所の設定項目を検出した場合に、その設定項目に関して自ノードで保持する設定内容を隣接したノード装置に通知することができる。したがって、光ＩＰ網で確実に設定ミスのないノード装置を確認しておけば、敷設／増設したすべてのノード装置について、設定ミスを自動検知できる。
【０００９】
請求項２に記載のノード装置は、請求項１に記載のノード装置において、前記各データリンクの使用不可状態において前記双方向制御チャネルを介して、前記１以上のデータリンクの疎通確認を依頼する疎通確認依頼メッセージを受信する疎通確認依頼メッセージ受信手段と、前記受信した疎通確認依頼メッセージで示されるデータリンクを使用可状態として導通試験を実施することで当該データリンクの設置状態を示す設置設定内容を取得する設置設定内容取得手段と、前記第１設定内容記憶手段に記憶された設定内容と、前記取得された設置設定内容とが一致するか否かを判別し、前記データリンクの設定内容と前記設置設定内容とが一致しないデータリンクを検出する設置ミス検出手段と、前記データリンクの設定内容と前記設置設定内容とが一致しないデータリンクを検出した場合に、当該データリンクの設置設定内容を含む設置設定内容メッセージを前記隣接したノード装置に送信する設置設定内容メッセージ送信手段とをさらに備えることを特徴とする。
【００１０】
請求項７に記載の設定内容管理方法は、請求項６に記載の設定内容管理方法において、疎通確認依頼メッセージ受信手段によって、前記各データリンクの使用不可状態において前記双方向制御チャネルを介して、前記１以上のデータリンクの疎通確認を依頼する疎通確認依頼メッセージを受信するステップと、設置設定内容取得手段によって、前記受信した疎通確認依頼メッセージで示されるデータリンクを使用可状態として導通試験を実施することで当該データリンクの設置状態を示す設置設定内容を取得するステップと、設置ミス検出手段によって、前記第１設定内容記憶手段に記憶された設定内容と、前記取得された設置設定内容とが一致するか否かを判別し、前記データリンクの設定内容と前記設置設定内容とが一致しないデータリンクを検出するステップと、設置設定内容メッセージ送信手段によって、前記データリンクの設定内容と前記設置設定内容とが一致しないデータリンクを検出した場合に、当該データリンクの設置設定内容を含む設置設定内容メッセージを前記隣接したノード装置に送信するステップとをさらに有することを特徴とする。
【００１１】
請求項２に記載のノード装置または請求項７に記載の設定内容管理方法によれば、ノード装置は、隣接したノード装置との間のデータリンクの導通試験を実施することで当該データリンクとノード装置のインタフェースとの実際の接続状態を示す設置設定内容を取得し、自ノードで保持する設定内容と比較することで、データリンクの設置間違い箇所を検出した場合に、設置設定内容を隣接したノード装置に通知することができる。したがって、データリンクとノード装置のインタフェースとの実際の接続に関する設置ミスを自動検知できる。
【００１２】
請求項３に記載のノード装置は、予め設定された前記各データリンクの設定内容を記憶する第２設定内容記憶手段を備え、前記記憶された設定内容を管理すると共に、前記記憶された設定内容を、請求項１に記載のノード装置によって管理されるノード装置であって、隣接したノード装置に前記内容確認依頼メッセージを送信する内容確認依頼メッセージ送信手段と、前記正規内容メッセージを受信する正規内容メッセージ受信手段と、前記受信した正規内容メッセージに基づいて、前記第２設定内容記憶手段に記憶された設定内容を変更する設定変更手段とを備えることを特徴とする。
【００１３】
請求項８に記載の設定内容管理方法は、予め設定された前記各データリンクの設定内容を記憶する第２設定内容記憶手段を備え、前記記憶された設定内容を管理すると共に、前記記憶された設定内容を、請求項６に記載の設定内容管理方法によって管理されるノード装置の設定内容管理方法であって、内容確認依頼メッセージ送信手段によって、隣接したノード装置に前記内容確認依頼メッセージを送信するステップと、正規内容メッセージ受信手段によって、前記正規内容メッセージを受信するステップと、設定変更手段によって、前記受信した正規内容メッセージに基づいて、前記第２設定内容記憶手段に記憶された設定内容を変更するステップとを有することを特徴とする。
【００１４】
請求項３に記載のノード装置または請求項８に記載の設定内容管理方法によれば、ノード装置は、自ノードの保持する設定内容に設定ミスが存在する場合に、自ノードの保持する設定内容を自動的に変更することができる。
【００１５】
請求項４に記載のノード装置は、予め設定された前記各データリンクの設定内容を記憶する第２設定内容記憶手段を備え、前記記憶された設定内容を管理すると共に、請求項２に記載のノード装置から、前記設定内容の管理の支援を受けるノード装置であって、隣接したノード装置に前記内容確認依頼メッセージを送信する内容確認依頼メッセージ送信手段と、前記正規内容メッセージを受信する正規内容メッセージ受信手段と、前記隣接したノード装置に前記疎通確認依頼メッセージを送信する疎通確認依頼メッセージ送信手段と、前記設置設定内容メッセージを受信する設置設定内容メッセージ受信手段と、前記受信した正規内容メッセージに基づいて、前記第２設定内容記憶手段に記憶された設定内容を変更すると共に、前記設置設定内容メッセージに基づいて、前記第２設定内容記憶手段に記憶された設定内容を変更する設定変更手段とを備えることを特徴とする。
【００１６】
請求項９に記載の設定内容管理方法は、予め設定された前記各データリンクの設定内容を記憶する第２設定内容記憶手段を備え、前記記憶された設定内容を管理すると共に、前記記憶された設定内容を、請求項７に記載の設定内容管理方法によって管理されるノード装置の設定内容管理方法であって、内容確認依頼メッセージ送信手段によって、隣接したノード装置に前記内容確認依頼メッセージを送信するステップと、正規内容メッセージ受信手段によって、前記正規内容メッセージを受信するステップと、設定変更手段によって、前記正規内容メッセージに基づいて、前記第２設定内容記憶手段に記憶された設定内容を変更するステップと、疎通確認依頼メッセージ送信手段によって、前記隣接したノード装置に前記疎通確認依頼メッセージを送信するステップと、設置設定内容メッセージ受信手段によって、前記設置設定内容メッセージを受信するステップと、設定変更手段によって、前記設置設定内容メッセージに基づいて、前記第２設定内容記憶手段に記憶された設定内容を変更するステップとを有することを特徴とする。
【００１７】
請求項４に記載のノード装置または請求項９に記載の設定内容管理方法によれば、ノード装置は、隣接したノード装置との間のデータリンクが、設定内容と異なるインタフェースに実際に接続されている場合に、自ノードの保持する設定内容を、実際の接続状態に合わせて自動的に修正することができる。
【００１８】
請求項５に記載のノード装置は、請求項１ないし請求項４のいずれか一項に記載のノード装置であって、隣接したノード装置との間で新たに使用するために設定されたデータリンクの設定内容を示す新設データリンク設定内容を、前記隣接したノード装置に送信する新設情報送信手段と、隣接したノード装置から、前記新設データリンク設定内容を受信する新設情報受信手段と、前記受信した新設データリンク設定内容に基づいて、新たなデータリンクの設定内容を自動設定する受信情報自動設定手段とを備えることを特徴とする。
【００１９】
請求項１０に記載の設定内容管理方法は、請求項６ないし請求項９のいずれか一項に記載の設定内容管理方法であって、新設情報送信手段によって、隣接したノード装置との間で新たに使用するために設定されたデータリンクの設定内容を示す新設データリンク設定内容を、前記隣接したノード装置に送信するステップと、新設情報受信手段によって、隣接したノード装置から、前記新設データリンク設定内容を受信するステップと、受信情報自動設定手段によって、前記受信した新設データリンク設定内容に基づいて、新たなデータリンクの設定内容を自動設定するステップとを有することを特徴とする。
【００２０】
請求項５に記載のノード装置または請求項１０に記載の設定内容管理方法によれば、ノード装置は、新設したデータリンクに関して自ノードの保持する設定内容を、隣接するノード装置に自動的に通知できると共に、自ノードに未だ保持されていない新設データリンク設定内容を自ノードに自動的に設定することができる。
【００２１】
請求項１１に記載の設定内容管理プログラムは、請求項６ないし請求項１０のいずれか一項に記載の設定内容管理方法をコンピュータに実行させることを特徴とする。このように構成されることにより、このプログラムをインストールされたコンピュータは、このプログラムに基づいた各機能を実現することができる。
【００２２】
請求項１２に記載の光ＩＰ網システムは、双方向制御チャネルおよび１以上のデータリンクを介して隣接して設置される２つのノード装置を備え、前記２つのノード装置が、請求項１に記載のノード装置と請求項３に記載のノード装置との組合せ、または、請求項２に記載のノード装置と請求項４に記載のノード装置との組合せから成ることを特徴とする。
【００２３】
かかる構成によれば、光ＩＰ網システムは、隣接して設置される一方のノード装置が、他方のノード装置で保持する設定内容のミスを自動的に検出し、また、検出結果に基づいて、他方のノード装置が、自ノードの保持する設定内容を自動更新できる。
【００２４】
請求項１３に記載の設定内容管理方法は、双方向制御チャネルおよび１以上のデータリンクを介して隣接して設置される第１ノード装置と、第２ノード装置とを備える光ＩＰ網システムにおいて、前記第１ノード装置と、前記第２ノード装置とにそれぞれ保持される前記データリンクの設定内容を管理する設定内容管理方法であって、前記第１ノード装置が、内容確認依頼メッセージ送信手段によって、前記各データリンクの使用不可状態において前記双方向制御チャネルを介して、前記第１ノード装置が保持する前記各データリンクの設定内容を含む内容確認依頼メッセージを前記第２ノード装置に送信するステップと、前記第２ノード装置が、内容確認依頼メッセージ受信手段によって、前記内容確認依頼メッセージを受信するステップと、設定ミス検出手段によって、前記第２ノード装置が保持する設定内容と、前記受信した内容確認依頼メッセージに含まれる設定内容とが一致するか否かを判別し、設定内容が一致しない設定項目を検出するステップと、正規内容メッセージ送信手段によって、設定内容が一致しない設定項目が検出された場合に、当該設定項目について、前記第２ノード装置が保持する設定内容を含む正規内容メッセージを前記第１ノード装置に送信するステップと、前記第１ノード装置が、正規内容メッセージ受信手段によって、前記正規内容メッセージを受信するステップと、設定変更手段によって、前記受信した正規内容メッセージに基づいて、前記第１ノード装置が保持する設定内容を変更するステップとを有することを特徴とする。
【００２５】
かかる手順によれば、光ＩＰ網システムは、隣接して設置される一方のノード装置が、他方のノード装置で保持する設定内容のミスを自動的に検出し、また、検出結果に基づいて、他方のノード装置が、自ノードの保持する設定内容を自動更新できる。
【００２６】
請求項１４に記載の設定内容管理方法は、請求項１３に記載の設定内容管理方法において、前記第１ノード装置が、疎通確認依頼メッセージ送信手段によって、前記各データリンクの使用不可状態において前記双方向制御チャネルを介して、前記１以上のデータリンクの疎通確認を依頼する疎通確認依頼メッセージを前記第２ノード装置に送信するステップと、前記第２ノード装置が、疎通確認依頼メッセージ受信手段によって、前記疎通確認依頼メッセージを受信するステップと、設置設定内容取得手段によって、前記受信した疎通確認依頼メッセージで示されるデータリンクを使用可状態として導通試験を実施することで当該データリンクの設置状態を示す設置設定内容を取得するステップと、設置ミス検出手段によって、前記第２ノード装置が保持する設定内容と、前記取得された設置設定内容とが一致するか否かを判別し、前記第２ノード装置が保持する設定内容と前記設置設定内容とが一致しないデータリンクを検出するステップと、設置設定内容メッセージ送信手段によって、前記第２ノード装置が保持する設定内容と前記設置設定内容とが一致しないデータリンクを検出した場合に、当該データリンクの設置設定内容を含む設置設定内容メッセージを前記第１ノード装置に送信するステップと、前記第１ノード装置が、設置設定内容メッセージ受信手段によって、前記設置設定内容メッセージを受信するステップと、設定変更手段によって、前記設置設定内容メッセージに基づいて、前記第１ノード装置が保持する設定内容を変更するステップとをさらに有することを特徴とする。
【００２７】
かかる手順によれば、光ＩＰ網システムは、隣接して設置される一方のノード装置が、他方のノード装置との間のデータリンクの設置ミスを自動的に検出し、また、検出結果に基づいて、他方のノード装置が、自ノードの保持する設定内容を自動更新できる。
【００２８】
請求項１５に記載の設定内容管理方法は、請求項１３または請求項１４に記載の設定内容管理方法において、前記第１ノード装置が保持する設定内容を変更するステップの前に、変更指示通知手段によって、前記第１ノード装置が保持する設定内容の変更を指示する変更指示メッセージを前記設定変更手段に通知するステップをさらに有することを特徴とする。
【００２９】
かかる手順によれば、ノード装置が、変更指示メッセージを受けてから、自ノードが保持する設定内容を修正する。したがって、ノード装置は、例えば、隣接したノード装置が誤ったメッセージを通知してきた場合に、自ノードが保持する設定内容を即座に修正することを防止できる。
【００３０】
請求項１６に記載の設定内容管理方法は、請求項１５に記載の設定内容管理方法において、前記第１ノード装置が、前記変更指示メッセージを前記設定変更手段に通知するステップは、前記変更指示通知手段によって、前記第２ノード装置から受信したメッセージを、前記データリンクの設定内容を予め記憶した監視用装置に転送するステップと、前記監視用装置から前記変更指示メッセージを受信するステップとを含むことを特徴とする。
【００３１】
かかる手順によれば、ノード装置は、隣接したノード装置が通知したメッセージに基づいて自動修正してよいかどうかを、監視用装置または監視用装置のオペレータに委ねることができるので、変更指示メッセージを自ノードで生成する必要がない。したがって、ノード装置の構成を簡略化できる。
【００３２】
請求項１７に記載の設定内容管理方法は、請求項１３ないし請求項１６のいずれか一項に記載の設定内容管理方法において、前記第１ノード装置または前記第２ノード装置のうちの一方が、新設情報送信手段によって、両ノード装置間で新たに使用するために前記一方のノード装置で設定されたデータリンクの設定内容を示す新設データリンク設定内容を他方のノード装置に送信するステップと、前記他方のノード装置が、新設情報受信手段によって、前記新設データリンク設定内容を受信するステップと、受信情報自動設定手段によって、前記受信した新設データリンク設定内容に基づいて、前記他方のノード装置に前記新たなデータリンクの設定内容を自動設定するステップとをさらに有することを特徴とする。
【００３３】
かかる手順によれば、隣接したノード装置の一方は、新設したデータリンクに関して自ノードの保持する設定内容を、他方のノード装置に自動的に通知できると共に、他方のノード装置は、新設データリンク設定内容を自ノードに自動的に設定することができる。
【００３４】
請求項１８に記載の設定内容管理方法は、請求項１７に記載の設定内容管理方法において、前記他方のノード装置が、前記新たなデータリンクの設定内容を自動設定するステップは、前記他方のノード装置に予め登録しておいた値より払い出しを行うことにより、前記両ノード装置間で新たに使用するデータリンクを自動設定することを特徴とする。
【００３５】
かかる手順によれば、他方のノード装置に自動設定用の値を予め設定しておくだけで、一方のノード装置に設定内容が登録されていれば、他方のノード装置にとってネットワーク敷設時には未使用で、増設予定の定まっていないデータリンクをネットワーク増設時に自動設定できる。
【００３６】
請求項１９に記載の設定内容管理方法は、請求項１７または請求項１８に記載の設定内容管理方法において、前記一方のノード装置が、前記新設データリンク設定内容を他方のノード装置に送信するステップの前に、送信情報自動設定手段によって、前記一方のノード装置に予め登録しておいた値より払い出しを行うことにより、前記両ノード装置間で新たに使用するデータリンクを前記一方のノード装置に自動設定するステップをさらに有することを特徴とする。
【００３７】
かかる手順によれば、隣接した双方のノード装置に自動設定用の値を予め設定しておくだけで、ネットワーク敷設時には未使用で、増設予定の定まっていないデータリンクをネットワーク増設時に自動設定できる。
【発明の効果】
【００３８】
本発明によれば、オペレータの作業負担を軽減できる。
【発明を実施するための最良の形態】
【００３９】
以下、図面を参照して本発明のノード装置およびその設定内容管理方法を実施するための最良の形態（以下「実施形態」という）について詳細に説明する。
【００４０】
図１は、本発明の実施形態に係る光ＩＰ網システムの構成図である。図１に示すように、光ＩＰ網システム１は、例えば、マルチレイヤサービスネットワークであり、ノード装置２（２ａ，２ｂ，２ｃ，２ｄ）と、監視用装置３とを備えている。
【００４１】
ノード装置２は、例えば、光クロスコネクト、ルータ、スイッチ等からなる装置である。ノード装置２の個数は特に限定されるものではない。ノード装置２は、複数のインタフェース４を有し、インタフェース４には、データリンク５が接続される。ノード装置２ａとノード装置２ｂとの間、ノード装置２ｂとノード装置２ｃとの間、および、ノード装置２ｃとノード装置２ｄとの間には、それぞれ２本のデータリンク５と、１本の双方向制御チャネル６が保持されている。つまり、ノード装置２ａとノード装置２ｄとは、片側１台のノード装置２に隣接している。また、ノード装置２ｂとノード装置２ｃとは、両側２台のノード装置２に隣接している。以下では、互いに隣接した２台のノード装置２として、ノード装置２ｂとノード装置２ｃとを用いて説明し、特に区別しない場合には、ノード装置２と表記することとする。また、ノード装置２ｂ（第１ノード装置）はノード装置２ｃ（第２ノード装置）に対して新設側のノードであるものとする。
【００４２】
監視用装置３は、ノード装置２間のデータリンク５の設定内容を予め記憶した装置である。本実施形態では、監視用装置３は、各ノード装置２と双方向制御チャネル６を介して通信可能に接続されているものとする（図２参照）。なお、監視用装置３をオフラインとし、必要なときに接続対象とするノード装置２に接続して使用するように構成してもよい（図１参照）。
【００４３】
［ノード装置の構成］
図２は、図１に示したノード装置の一例を示す機能ブロック図である。ノード装置２は、例えば、ＣＰＵ（Central Processing Unit）と、ＲＡＭ（Random Access Memory）と、ＲＯＭ（Read Only Memory）と、ＨＤＤ（Hard Disk Drive）と、通信を行うためのＮＩＣ（Network Interface Card）等から構成されており、図２に示すように、大別して、入出力手段１１と、記憶手段１２と、制御手段１３とを備えている。
【００４４】
入出力手段１１は、所定の情報やコマンドを入力したり、所定の情報を出力したりするものであり、例えば、データリンクを差し込むインタフェース４や双方向制御チャネル６用のインタフェース１１１等を備える。
【００４５】
記憶手段１２は、例えば、ＲＡＭと、ＲＯＭと、ＨＤＤとを備える。この場合に、ＲＡＭは、制御手段１３による演算処理等に利用されると共に、入出力手段１１を介して取得した情報等を記憶し、ＲＯＭは、新規データリンク設定時に用いる払い出し用の値等を記憶し、ＨＤＤは、各種データベース、所定のプログラム、制御手段１３の処理結果等を格納する。
【００４６】
また、記憶手段１２は、設定内容記憶手段１２１（第１設定内容記憶手段１２１ａ，第２設定内容記憶手段１２１ｂ）を備えている。この設定内容記憶手段１２１は、予め設定された各データリンク５の設定内容を記憶するものであり、例えば、ＨＤＤから構成される。ここで、データリンク５の設定内容とは、属性情報（Switching type、Encording type、最小帯域、最大帯域）を含むデータリンク情報と、それらデータリンクを１つに束ねたものを総称するＴＥ（Traffic Engineering）リンク情報より構成される。なお、データリンク情報は、隣接したノード装置２間で対をなす構造を有している。
【００４７】
本実施形態では、隣接した２つのノード装置２に備えられた２つの設定内容記憶手段１２１を区別するために、新設されたノード装置２ｂ側の記憶手段を、便宜上、第２設定内容記憶手段１２１ｂと呼ぶこととする。あるいは、１つのノード装置２の中で、後記する拡張機能部１４によって利用される場合に第２設定内容記憶手段１２１ｂと呼び、後記する検出機能部１５によって利用される場合に第１設定内容記憶手段１２１ａと呼ぶこととする。なお、１つのノード装置２の中で、第１設定内容記憶手段１２１ａと第２設定内容記憶手段１２１ｂとを、拡張機能部１４または検出機能部１５専用に別々に設けるように構成してもよい。以下では、特に区別しない場合には、設定内容記憶手段１２１と表記する。
【００４８】
制御手段１３は、例えば、ＣＰＵ等から構成され、入出力手段１１および記憶手段１２を制御すると共に、図２に示すように、拡張機能部１４と、検出機能部１５とを備えている。
【００４９】
拡張機能部１４は、新設側のノード装置２（２ｂ）が、既設側のノード装置２（２ｃ）を利用して、自ノード（２ｂ）の設定内容を拡張する機能を備えたものであり、内容確認依頼メッセージ送信手段１４１と、正規内容メッセージ受信手段１４２と、設定変更手段１４３と、疎通確認依頼メッセージ送信手段１４４と、設置設定内容メッセージ受信手段１４５と、送信情報自動設定手段１４６と、新設情報送信手段１４７と、終了メッセージ受信手段１４８と、変更指示通知手段１４９とを備えている。なお、拡張機能部１４は、既設側のノード装置２ｃにも備えられている。
【００５０】
内容確認依頼メッセージ送信手段１４１は、各データリンク５の使用不可状態において双方向制御チャネル６を介して、第２設定内容記憶手段１２１ｂに保持した各データリンク５の設定内容を含む内容確認依頼メッセージ（以下、内容確認依頼メッセージＭ1と表記する）を隣接したノード装置２に送信するものである。
【００５１】
正規内容メッセージ受信手段１４２は、内容確認依頼メッセージＭ1に含まれる設定内容の設定ミスの有無に応じた判別結果メッセージを、隣接したノード装置２から双方向制御チャネル６を介して受信するものである。この正規内容メッセージ受信手段１４２は、内容確認依頼メッセージＭ1に含まれる設定内容に設定ミスがある場合に、隣接したノード装置２に記憶された設定内容を含む正規内容メッセージ（以下、正規内容メッセージＭ2と表記する）を受信する。
【００５２】
設定変更手段１４３は、正規内容メッセージ受信手段１４２で受信した正規内容メッセージＭ2に基づいて、第２設定内容記憶手段１２１ｂに記憶された設定内容を変更するものである。本実施形態では、後記する変更指示通知手段１４９によって、第２設定内容記憶手段１２１ｂに記憶された設定内容の変更を指示する変更指示メッセージが通知された場合に、第２設定内容記憶手段１２１ｂに記憶された設定内容を書き換える（上書きする）こととした。
【００５３】
疎通確認依頼メッセージ送信手段１４４は、各データリンク５の使用不可状態において双方向制御チャネル６を介して、１以上のデータリンク５の疎通確認を依頼する疎通確認依頼メッセージ（以下、疎通確認依頼メッセージＭ3と表記する）を隣接したノード装置２に送信するものである。この疎通確認依頼メッセージ送信手段１４４は、導通試験、つまり、疎通確認を行うデータリンク５の使用可状態において、当該データリンク５を用いて疎通確認用メッセージを、隣接したノード装置２に送信する。ここで、疎通確認用メッセージとして、例えば、当該データリンク５が接続されたインタフェース４のローカルインタフェースＩＤ（Local Interface ID）を用いてもよい。
【００５４】
設置設定内容メッセージ受信手段１４５は、疎通確認依頼メッセージＭ3で指定されたデータリンク５が実際に設置されている状態におけるミスの有無に応じた判別結果メッセージを、隣接したノード装置２から双方向制御チャネル６を介して受信するものである。この設置設定内容メッセージ受信手段１４５は、データリンク５の設置ミスがある場合に、当該データリンク５の導通試験を実施することで取得される設置状態を示す設置設定内容を含む設置設定内容メッセージ（以下、設置設定内容メッセージＭ4と表記する）を受信する。
【００５５】
送信情報自動設定手段１４６は、記憶手段１２のＲＯＭ等に予め登録しておいた値より払い出しを行うことにより、両ノード装置２間で新たに使用するデータリンク５を第２設定内容記憶手段１２１ｂに自動設定するものである。具体的には、送信情報自動設定手段１４６は、第２設定内容記憶手段１２１ｂにデータリンク５の設定内容として、ローカルインタフェースＩＤを書き込む。なお、このとき、リモートインタフェースＩＤ（Remote Interface ID）は未知である。
【００５６】
新設情報送信手段１４７は、隣接したノード装置２との間で新たに使用するために設定されたデータリンク５の設定内容を示す新設データリンク設定内容を、隣接したノード装置２および監視用装置３に送信するものである。この新設情報送信手段１４７は、新設データリンク設定内容を、設定内容記憶手段１２１に登録されているノード装置２の属性情報等を含めて送信する。
【００５７】
終了メッセージ受信手段１４８は、新設情報送信手段１４７で送信した新設データリンク設定内容が、隣接したノード装置２の設定内容記憶手段１２１に設定されたことを示す終了メッセージを受信するものである。この終了メッセージには、未知であったリモートインタフェースＩＤが含まれているので、終了メッセージ受信手段１４８は、このリモートインタフェースＩＤを設定内容記憶手段１２１に登録する。
【００５８】
変更指示通知手段１４９は、第２設定内容記憶手段１２１ｂに記憶された設定内容の変更を指示する変更指示メッセージを設定変更手段１４３に通知するものである。本実施形態では、変更指示通知手段１４９は、隣接したノード装置２から受信したメッセージを、監視用装置３に転送すると共に、監視用装置３から変更指示メッセージを受信することとした。
【００５９】
検出機能部１５は、隣接した２つのノード装置２のうち既設側のノード装置２ｃが、新設側のノード装置２ｂの設定内容のミスを検出する機能を備えたものであり、内容確認依頼メッセージ受信手段１５１と、設定ミス検出手段１５２と、正規内容メッセージ送信手段１５３と、疎通確認依頼メッセージ受信手段１５４と、設置設定内容取得手段１５５と、設置ミス検出手段１５６と、設置設定内容メッセージ送信手段１５７と、新設情報受信手段１５８と、受信情報自動設定手段１５９と、終了メッセージ送信手段１６０とを備えている。なお、検出機能部１５は、新設側のノード装置２ｂにも備えられている。
【００６０】
内容確認依頼メッセージ受信手段１５１は、各データリンク５の使用不可状態において双方向制御チャネル６を介して、隣接したノード装置２から、内容確認依頼メッセージＭ1を受信するものである。
【００６１】
設定ミス検出手段１５２は、第１設定内容記憶手段１２１ａに記憶された設定内容を参照することで、第１設定内容記憶手段１２１ａに記憶された設定内容と、内容確認依頼メッセージ受信手段１５１で受信した内容確認依頼メッセージＭ1に含まれる設定内容とが一致するか否かを判別し、設定内容が一致しない設定項目を検出するものである。この設定ミス検出手段１５２は、第１設定内容記憶手段１２１ａに記憶された設定内容と、内容確認依頼メッセージＭ1に含まれる設定内容との差分を、内容確認依頼メッセージＭ1を送信したノードに登録されたデータリンク５の設定ミスとして把握する。
【００６２】
正規内容メッセージ送信手段１５３は、設定ミス検出手段１５２の判別結果を示す判別結果メッセージを、隣接したノード装置２に双方向制御チャネル６を介して送信するものである。この正規内容メッセージ送信手段１５３は、設定ミス検出手段１５２で設定内容が一致しない設定項目が検出された場合に、当該設定項目について、第１設定内容記憶手段１２１ａに記憶された設定内容を含む正規内容メッセージＭ2を、双方向制御チャネル６を介して隣接したノード装置２に送信する。なお、データリンク５の設定ミスとして把握された差分の情報を送信するようにしてもよい。
【００６３】
疎通確認依頼メッセージ受信手段１５４は、各データリンク５の使用不可状態において双方向制御チャネル６を介して、１以上のデータリンク５の疎通確認を依頼する疎通確認依頼メッセージＭ3を受信するものである。
【００６４】
設置設定内容取得手段１５５は、疎通確認依頼メッセージ受信手段１５４で受信した疎通確認依頼メッセージＭ3で示されるデータリンク５を使用可状態として導通試験を実施することで当該データリンク５の設置状態を示す設置設定内容を取得するものである。この設置設定内容取得手段１５５は、導通試験、つまり、疎通確認を行うデータリンク５の使用可状態において、当該データリンク５を用いて疎通確認用メッセージを受信する。この疎通確認用メッセージが設置設定内容（データリンク情報）に相当する。設置設定内容取得手段１５５は、例えば、データリンクの実際の接続状態を反映したインタフェース情報（例えば、自ノードのローカルインタフェースＩＤおよびリモートインタフェースＩＤ）をデータリンク情報として把握する。
【００６５】
設置ミス検出手段１５６は、第１設定内容記憶手段１２１ａに記憶された設定内容を参照することで、第１設定内容記憶手段１２１ａに記憶された設定内容と、設置設定内容取得手段１５５で取得された設置設定内容とが一致するか否かを判別し、データリンク５の設定内容（登録内容）と設置設定内容とが一致しないデータリンク５を検出するものである。
【００６６】
設置設定内容メッセージ送信手段１５７は、設置ミス検出手段１５６の判別結果を示す判別結果メッセージを、隣接したノード装置２に双方向制御チャネル６を介して送信するものである。この設置設定内容メッセージ送信手段１５７は、設置ミス検出手段１５６によって、第１設定内容記憶手段１２１ａに記憶されたデータリンク５の設定内容（登録内容）と設置設定内容とが一致しないデータリンク５が検出された場合に、当該データリンク５の設置設定内容を含む設置設定内容メッセージＭ4を隣接したノード装置２に送信する。
【００６７】
新設情報受信手段１５８は、隣接したノード装置２との間で新たに使用するために設定されたデータリンク５の設定内容を示す新設データリンク設定内容（例えば、他ノードのローカルインタフェースＩＤ）を受信するものである。この新設情報受信手段１５８は、新設データリンク設定内容を送信したノード装置２の属性情報等を合わせて受信する。
【００６８】
受信情報自動設定手段１５９は、新設情報受信手段１５８で受信した新設データリンク設定内容に基づいて、新たなデータリンクの設定内容を自動設定するものである。本実施形態では、受信した新設データリンク設定内容（他ノードのローカルインタフェースＩＤ）に対応して、記憶手段１２のＲＯＭ等に予め登録しておいた値（自ノードのローカルインタフェースＩＤ）より払い出しを行うことにより、両ノード装置２間で新たに使用するデータリンク５の情報を設定内容記憶手段１２１に自動設定することとした。具体的には、自ノードのローカルインタフェースＩＤおよびリモートインタフェースＩＤが登録されることとなる。なお、新設情報受信手段１５８は、新設データリンク設定内容を送信したノード装置２の属性情報等を合わせて受信するので、受信情報自動設定手段１５９は、これらの情報も登録する。
【００６９】
終了メッセージ送信手段１６０は、受信情報自動設定手段１５９によって新設データリンクに関する設定内容が設定内容記憶手段１２１に設定されたことを示す終了メッセージを、隣接したノード装置２に送信するものである。この終了メッセージには、新設データリンク設定内容によって払い出された値（自ノードのローカルインタフェースＩＤ）を含んでいる。
【００７０】
なお、前記した制御手段１３が備える各手段１４１〜１４９，１５１〜１６０は、ＣＰＵが記憶手段１２のＨＤＤ等に格納された所定のプログラムをＲＡＭに展開して実行することにより実現されるものである。
【００７１】
［ノード装置の動作］ 
図２に示したノード装置２の動作について図３および図４を参照（適宜図２参照）して説明する。図３および図４は、図２に示したノード装置の設定内容管理方法を示すシーケンス図である。なお、ノード装置２ｂ，２ｃには、予めデータリンク５の設定内容がオペレータによって設定（登録）されており、これらの設定内容のうち、ノード装置２ｃに登録された設定内容は、設定ミス（登録ミス）が全く無いものとする。
【００７２】
＜設定内容確認時の動作＞
まず、ノード装置２ｂは、内容確認依頼メッセージ送信手段１４１によって、各データリンク５の使用不可状態において双方向制御チャネル６を介して、ノード装置２ｂが保持する各データリンク５の設定内容を含む内容確認依頼メッセージＭ1をノード装置２ｃに送信する（ステップＳ１）。
【００７３】
続いて、ノード装置２ｃは、内容確認依頼メッセージ受信手段１５１によって、内容確認依頼メッセージＭ1を受信し（ステップＳ２）、設定ミス検出手段１５２によって、ノード装置２ｃが保持する設定内容と、受信した内容確認依頼メッセージＭ1に含まれる設定内容とが一致するか否かを判別し、設定内容が一致しない設定項目（設定ミス）を検出する（ステップＳ３）。そして、ノード装置２ｃは、正規内容メッセージ送信手段１５３によって、判別結果メッセージを、ノード装置２ｂに双方向制御チャネル６を介して送信する。このとき、ステップＳ３で設定内容が一致しない設定項目が検出された場合には、当該設定項目について、ノード装置２ｃが保持する設定内容を含む正規内容メッセージＭ2をノード装置２ｂに送信する（ステップＳ４）。
【００７４】
続いて、ノード装置２ｂは、正規内容メッセージ受信手段１４２によって、正規内容メッセージＭ2を受信し（ステップＳ５）、変更指示通知手段１４９によって、ノード装置２ｃから受信した判別結果メッセージ（正規内容メッセージＭ2）を監視用装置３に双方向制御チャネル６を介して転送する（ステップＳ６）。なお、正規内容メッセージＭ2を受信した場合だけ転送するようにしてもよい。
【００７５】
続いて、監視用装置３は、判別結果メッセージ（正規内容メッセージＭ2）を受信する（ステップＳ７）。すると、監視用装置３のオペレータは、監視用装置３に予め設定された設定内容と判別結果メッセージ（正規内容メッセージＭ2）とを照合して設定ミスの箇所を特定してからノード装置２ｂに対するコマンドを監視用装置３に入力する。これにより、監視用装置３は、ノード装置２ｂの第２設定内容記憶手段１２１ｂに記憶された設定内容の変更を指示する変更指示メッセージをノード装置２ｂに送信する（ステップＳ８）。
【００７６】
続いて、ノード装置２ｂは、変更指示通知手段１４９によって、変更指示メッセージを受信し、受信した変更指示メッセージを設定変更手段１４３に通知する（ステップＳ９）。そして、ノード装置２ｂは、設定変更手段１４３によって、ノード装置２ｃから受信した正規内容メッセージＭ2に基づいて、第２設定内容記憶手段１２１ｂに保持する設定内容を変更する（ステップＳ１０）。これにより、ノード装置２ｂにおける設定ミスを自動修正できる。
【００７７】
＜疎通確認時の動作＞
双方のノード装置２の設定内容が確認されると、次に、ノード装置２ｂは、疎通確認依頼メッセージ送信手段１４４によって、各データリンク５の使用不可状態において双方向制御チャネル６を介して、１以上のデータリンク５の疎通確認を依頼する疎通確認依頼メッセージＭ3をノード装置２ｃに送信する（ステップＳ１１）。
【００７８】
続いて、ノード装置２ｃは、疎通確認依頼メッセージ受信手段１５４によって、疎通確認依頼メッセージＭ3を受信し（ステップＳ１２）、設置設定内容取得手段１５５によって、疎通確認依頼メッセージＭ3で示されるデータリンク５を使用可状態として導通試験を実施することで当該データリンク５の設置状態を示す設置設定内容を取得する（ステップＳ１３）。なお、導通試験では、ノード装置２ｃは、ノード装置２ｂから疎通確認用メッセージを受信する。そして、ノード装置２ｃは、設置ミス検出手段１５６によって、第１設定内容記憶手段１２１ａに保持する設定内容と、取得された設置設定内容とが一致するか否かを判別し、第１設定内容記憶手段１２１ａに保持する設定内容と設置設定内容とが一致しないデータリンク５を検出する（ステップＳ１４）。そして、ノード装置２ｃは、設置設定内容メッセージ送信手段１５７によって、判別結果メッセージをノード装置２ｂに双方向制御チャネル６を介してノード装置２ｂに送信する。このとき、ステップＳ１４で設定内容と設置設定内容とが一致しないデータリンクが検出された場合には、設置設定内容を含む設置設定内容メッセージＭ4をノード装置２ｂに送信する（ステップＳ１５）。
【００７９】
続いて、ノード装置２ｂは、設置設定内容メッセージ受信手段１４５によって、設置設定内容メッセージＭ4を受信する（ステップＳ１６）。ステップＳ１６に続くステップＳ１７〜ステップＳ２０の処理は、監視用装置３から変更指示メッセージを受信するまでの処理であり、前記したステップＳ６〜ステップＳ９の処理と同様なので説明を省略する。次に、ステップＳ２０に続いて、ノード装置２ｂは、設定変更手段１４３によって、ノード装置２ｃから受信した設置設定内容メッセージＭ4に基づいて、第２設定内容記憶手段１２１ｂに保持する設定内容を変更する（ステップＳ２１）。これにより、ノード装置２ｂは、ノード装置２ｃとの間のデータリンク５の実際の接続を正しくやり直すことなく、登録データ上で、データリンク５の設置ミスを解消することができる。
【００８０】
＜データリンク追加時の動作＞
疎通確認が終了した後、光ＩＰ網システム１においてネットワーク増設によりデータリンク５を新設する場合、ノード装置２ｂは、送信情報自動設定手段１４６によって、記憶手段１２のＲＯＭ等に予め登録しておいた値より払い出しを行うことにより、両ノード装置２間で新たに使用するデータリンクを第２設定内容記憶手段１２１ｂに自動設定する（ステップＳ２２）。そして、ノード装置２ｂは、新設情報送信手段１４７によって、ノード装置２ｃとの間で新たに使用するために設定されたデータリンク５の設定内容を示す新設データリンク設定内容を、ノード装置２ｃに送信する（ステップＳ２３）。
【００８１】
続いて、ノード装置２ｃは、新設情報受信手段１５８によって、新設データリンク設定内容を受信し（ステップＳ２４）、受信情報自動設定手段１５９によって、新設データリンク設定内容に基づいて、記憶手段１２のＲＯＭ等に予め登録しておいた値より払い出しを行うことにより、両ノード装置２間で新たに使用するデータリンク５を第１設定内容記憶手段１２１ａに自動設定する（ステップＳ２５）。そして、ノード装置２ｃは、終了メッセージ送信手段１６０によって、新設データリンク設定内容が第１設定内容記憶手段１２１ａに設定されたことを示す終了メッセージをノード装置２ｂに送信する（ステップＳ２６）
【００８２】
続いて、ノード装置２ｂは、終了メッセージ受信手段１４８によって、終了メッセージを受信し（ステップＳ２７）、新設情報送信手段１４７によって、終了メッセージを受信した新設データリンク設定内容を監視用装置３に送信する（ステップＳ２８）。
同様に、ノード装置２ｃは、新設情報送信手段１４７によって、終了メッセージを送信した新設データリンク設定内容を監視用装置３に送信する（ステップＳ２９）。そして、監視用装置３は、ノード装置２ｂおよびノード装置２ｃから新設データリンク設定内容をそれぞれ受信し（ステップＳ３０，Ｓ３１）、登録する。
【００８３】
なお、ノード装置２は、一般的なコンピュータに、前記した各ステップを実行させる設定内容管理プログラムを実行することで実現することもできる。このプログラムは、通信回線を介して配布することも可能であるし、ＣＤ−ＲＯＭ等の記録媒体に書き込んで配布することも可能である。
【００８４】
［疎通確認の具体例］
図５は、図２に示したノード装置による疎通確認の説明図であり、（ａ）は、隣接した２つのノード装置、（ｂ）は新設側のノード装置に登録された設定内容の一例、（ｃ）は既設側のノード装置に登録された設定内容の一例、（ｄ）は新設側の修正内容の一例をそれぞれ示している。ここでは、新設側のノード装置２をノード装置２ｂとし、既設側のノード装置２をノード装置２ｃとする。また、双方のノード装置２は３個ずつのインタフェース４を有し、これらを区別するために、ノード装置２ｂのインタフェースを５０１，５０２，５０３と表記し、ノード装置２ｃのインタフェースを５０４，５０５，５０６と表記することとする。また、双方のノード装置２は２本のデータリンク５を有し、これらを区別するために、インタフェース５０１，５０４に接続されたデータリンクを５１１と表記し、インタフェース５０２，５０５に接続されたデータリンクを５１２と表記することとする。なお、図５（ａ）では説明上、データリンク５とインタフェース４との間を空けて示したが、実際には接続されている。
【００８５】
図５（ｂ）に示すように、ノード装置２ｂは、登録されたインタフェースの情報ＩＦとして、ローカルインタフェースＩＤ（以下、Ｌbと表記する）およびリモートインタフェースＩＤ（以下、Ｒbと表記する）を第２設定内容記憶手段１２１ｂに記憶している。
同様に、図５（ｃ）に示すように、ノード装置２ｃは、登録されたインタフェースの情報ＩＦとして、ローカルインタフェースＩＤ（以下、Ｌcと表記する）およびリモートインタフェースＩＤ（以下、Ｒcと表記する）を第１設定内容記憶手段１２１ａに記憶している。
【００８６】
ここでは、データリンク５１１の疎通確認を行うものとする。なお、双方向制御チャネル６を介して送信された疎通確認依頼メッセージＭ3によって、導通試験の対象がデータリンク５１１であることが通知されている。
【００８７】
図５（ａ）に示すように、ノード装置２ｂは、データリンク５１１を使用して、データリンク５１１の設定項目Ｌbの設定内容「ｍ」を、テストメッセージ５２１としてノード装置２ｃに送信する。ノード装置２ｃは、テストメッセージ５２１として受信した設定項目Ｌbの設定内容「ｍ」が対をなしている設定項目Ｒcの設定内容を検索する。このノード装置２ｃには、設定内容「ｍ」がインタフェース５０５に対して設定されている。つまり、データリンク５１２に対して設定されているので、導通試験の対象であるデータリンク５１１とは異なっている。したがって、ノード装置２ｃは、データリンク５１１に対しては（インタフェース５０４に対しては）、設定内容が「ｍ」ではなく「ｐ」であることを示す「ｐ≠ｍ」を、応答メッセージ５２２として双方向制御チャネル６を介してノード装置２ｂに送信する。なお、応答メッセージ５２２には、対をなす設定項目Ｌcの設定内容「ｑ」を含める。
【００８８】
すると、ノード装置２ｂは、データリンク５１１を使用して、設定項目Ｌbの設定内容を仮に「ｐ」としたテストメッセージ５２３をノード装置２ｃに送信する。次に、ノード装置２ｃは、同様な検索の結果、設定内容が正しいことを示す応答メッセージ５２４を双方向制御チャネル６を介してノード装置２ｂに送信する。続いて、ノード装置２ｂは、監視用装置３での照合を待って設定項目Ｌbの設定内容「ｍ」を「ｐ」で上書きすると共に、設定項目Ｒbの設定内容「ｎ」を「ｑ」で上書きする。同様にして、データリンク５１２の導通試験を実施すると、ノード装置２ｂの設定内容は、最終的に、図５（ｄ）に示すように修正されることとなる。この図５（ｄ）に示す設定内容と、図５（ｃ）に示す設定内容とは、ローカルインタフェースＩＤおよびリモートインタフェースＩＤに関して対称に配置されることとなる。
【００８９】
［新たに使用するデータリンクの追加時の動作の具体例］
図６は、図２に示したノード装置に新たにデータリンクを追加したときの動作の説明図であり、（ａ）は隣接した２つのノード装置、（ｂ）は新設側のノード装置に登録された設定内容の一例、（ｃ）は既設側のノード装置に登録される設定内容の一例、（ｄ）は新設側の修正内容の一例をそれぞれ示している。なお、前記した疎通確認の具体例で説明した内容と同じものには、同じ符号を付して説明を省略する。
【００９０】
図６（ｂ）に示すように、ノード装置２ｂは、追加するデータリンク５１３のために新たに使用するインタフェース５０３に対して自動設定の結果、払い出された値「ｒ」を、設定項目Ｌbの設定内容（新設データリンク設定内容）として登録する。なお、設定項目Ｌbと対をなす設定項目Ｒbの値は未知なので未設定となる。続いて、図６（ａ）に示すように、ノード装置２ｂは、新たに使用するデータリンク５１３を使用して、データリンク５１３の設定項目Ｌbの設定内容「ｒ」を、テストメッセージ６０１としてノード装置２ｃに送信する。
【００９１】
続いて、ノード装置２ｃは、検索の結果、自ノードの設定項目Ｒcとしては、設定内容「ｒ」が未設定であると判断し、設定項目Ｒcに値「ｒ」を登録する。これにより、予め登録されていた設定内容「ｓ」が自動的に払い出されて設定項目Ｌcに登録されることとなる。その結果、ノード装置２ｃでは、図５（ｃ）に示した設定内容から図６（ｃ）に示した設定内容へと修正される。そして、ノード装置２ｃは、データリンク５１３を使用して、新設データリンク設定内容「ｒ」によって払いだされた設定内容「ｓ」を、応答メッセージ６０２としてノード装置２ｂに送信する。これにより、ノード装置２ｂでは、未知であった設定項目Ｒbの値として「ｓ」が最終的に登録され、図６（ｂ）に示す設定内容から図６（ｄ）に示す設定内容へと修正されることとなる。
【００９２】
以上説明したように、本実施形態によれば、オペレータによって予め設定されたデータリンク５の設定内容の登録ミスや、データリンク５の設置接続ミスが存在した場合に、それらを自動的に検出して、自動的に修正できる。また、ノード装置２で新たに使用するインタフェース４を追加するときに追加されるデータリンク５の情報を自動設定することが可能となる。その結果、ノード装置２や監視用装置３のオペレータの負担が軽減される。
【００９３】
以上、本発明の実施形態について説明したが、本発明はこれに限定されるものではなく、その趣旨を変えない範囲で実施することができる。例えば、ノード装置２は、設定内容の確認機能と、疎通確認機能と、増設データリンク登録機能とを有したベストモードで構成されるものとしたが、その一部のみを備えるように構成してもよい。また、ノード装置２ｂ，２ｃは、制御手段１３として拡張機能部１４と検出機能部１５の双方を有したベストモードで構成されるものとしたが、例えば、ノード装置２ａ，２ｄのようにネットワークの端部や境界に配設される装置は、いずれか一方のみを備えるように構成してもよい。
【００９４】
また、本実施形態では、ノード装置２ｂに修正を指示する変更指示メッセージについては、監視用装置３のオペレータが判断および入力を行うものとしたが、これに限定されるものではなく、監視用装置３が判断および送信処理を行うようにしてもよい。また、ノード装置２ｂは、変更指示メッセージを受けた後で、ノード装置２ｃからのメッセージに基づく修正を行うものとしたが、変更指示メッセージを受けることなく、すぐに上書き登録するようにしてもよい。これらの場合には、設定ミスや設置ミスを迅速に解消することができる。
【００９５】
また、本実施形態では、新たなデータリンクに対する設定が終了した際、各ノード装置２が、監視用装置３に対し、設定内容を通知するものとしたが、一方のノード装置２だけが通知を実行するようにしてもよいし、通知処理自体を省略することも可能である。
また、光ＩＰ網システム１を構成するノード装置２がシステム内で担う役割によって優先順位を付与するようにしてもよい。この場合、システム内で重要（高度）な機能を有したノード装置２は、増設時のミス検出処理を行うタイミングをシフトすることもできる。
【図面の簡単な説明】
【００９６】
【図１】本発明の実施形態に係る光ＩＰ網システムの構成図である。
【図２】図１に示したノード装置の一例を示す機能ブロック図である。
【図３】図２に示したノード装置の設定内容管理方法を示すシーケンス図（その１）である。
【図４】図２に示したノード装置の設定内容管理方法を示すシーケンス図（その２）である。
【図５】図２に示したノード装置による疎通確認の説明図である。
【図６】図２に示したノード装置に新たにデータリンクを追加したときの動作の説明図である。
【符号の説明】
【００９７】
１      光ＩＰ網システム
２（２ａ，２ｂ，２ｃ，２ｄ）  ノード装置
３      監視用装置
４      インタフェース
５      データリンク
６      双方向制御チャネル
１１    入出力手段
１２    記憶手段
１２１  設定内容記憶手段
１２１ａ  第１設定内容記憶手段
１２１ｂ  第２設定内容記憶手段
１３    制御手段
１４    拡張機能部
１４１  内容確認依頼メッセージ送信手段
１４２  正規内容メッセージ受信手段
１４３  設定変更手段
１４４  疎通確認依頼メッセージ送信手段
１４５  設置設定内容メッセージ受信手段
１４６  送信情報自動設定手段
１４７  新設情報送信手段
１４８  終了メッセージ受信手段
１４９  変更指示通知手段
１５    検出機能部
１５１  内容確認依頼メッセージ受信手段
１５２  設定ミス検出手段
１５３  正規内容メッセージ送信手段
１５４  疎通確認依頼メッセージ受信手段
１５５  設置設定内容取得手段
１５６  設置ミス検出手段
１５７  設置設定内容メッセージ送信手段
１５８  新設情報受信手段
１５９  受信情報自動設定手段
１６０  終了メッセージ送信手段
【図１】
2008060869.tif 000003
【図２】
2008060869.tif 000004
【図３】
2008060869.tif 000005
【図４】
2008060869.tif 000006
【図５】
2008060869.tif 000007
【図６】
2008060869.tif 000008